(57)【要約】【課題】肩ベルトと腿ベルトとから構成されるハーネス型安全帯と、胴ベルトとを、ベルトが捩れることなく着脱可能に連結できるハーネス型安全帯用胴ベルト取付具を提供する。【解決手段】本発明は、肩ベルトに取り付けられる第１の掛止体と胴ベルトに取り付けられる第２の掛止体とからなる。第１の掛止体は肩ベルトに直交する２つのベルト幅方向辺とそれに直交する２つのベルト長さ方向辺で囲まれたベルト挿通孔と、ベルト長さ方向辺のほぼ中央にベルト挿通孔の中心に向けて対向して突出した突起片と、一方のベルト幅方向辺からベルト挿通孔と逆方向に延在し軸孔を設けられた連結部材取付片と、から構成される。第２の掛止体は、第１の掛止体と同様にベルト挿通孔と突起片と連結部材取付片を備える。第１の掛止体の軸孔と第２の掛止体の軸孔を回動自在に軸着した取付具。【選択図】  図２
2019198425.tif 000002
【特許請求の範囲】
【請求項１】
装着者の両肩に掛け回される一対の肩ベルトと、
装着者の両腿に巻き回される一対の腿ベルトとを備えるハーネス型安全帯に、
装着者の胴部に巻き回される胴ベルトを取り付けられるハーネス用胴ベルト取付具であって、
前記肩ベルトに掛止する第１の掛止体と、
前記胴ベルトに掛止する第２の掛止体と、
から構成され、
前記第１の掛止体と前記第２の掛止体が回動自在に軸着されたこと
を特徴とするハーネス用胴ベルト取付具。
【請求項２】
第１の掛止体は、肩ベルトを挿通可能な略矩形状の第１ベルト挿通孔を有し、
前記第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺とし、
２つの前記第１ベルト長さ方向辺のほぼ中央に、前記第１ベルト挿通孔の中心に向けて対向して突出した第１突起片を具備し、
前記一方の第１ベルト幅方向辺から第１ベルト挿通孔と逆方向に延在する第１連結部材取付片を具備し、前記第１連結部材取付片は第１軸孔を有し、
第２の掛止体は、胴ベルトを挿通可能な略矩形状の第２ベルト挿通孔を有し、
前記第２ベルト挿通孔を形成する４辺の内、胴ベルトの長尺方向に直交する２つの辺を第２ベルト幅方向辺とし、胴ベルトの長尺方向に平行な２つの辺を第２ベルト長さ方向辺とし、
２つの前記第２ベルト長さ方向辺のほぼ中央に、前記第２ベルト挿通孔の中心に向けて対向して突出した第２突起片を具備し、
前記一方の第２ベルト長さ方向辺から第２ベルト挿通孔と逆方向に延在する第２連結部材取付片を具備し、前記第２連結部材取付片は第２軸孔を有し、
第１の掛止体の第１軸孔と第２の掛止体の第２軸孔の位置を合わせ、回動自在に軸着された、
請求項１に記載のハーネス用胴ベルト取付具。
【請求項３】
装着者の両肩に掛け回される一対の肩ベルトと、
装着者の両腿に巻き回される一対の腿ベルトとを備えるハーネス型安全帯に、
装着者の胴部に巻き回される胴ベルトを取り付けられるハーネス用胴ベルト取付具であって、
前記肩ベルトに掛止する第１の掛止体と、
前記胴ベルトに掛止する第２の掛止体と、
前記第１の掛止体と前記第２の掛止体を連結する連結部材と、から構成され、
前記連結部材と、前記第１の掛止体及び前記第２の掛止体がそれぞれ回動自在に軸着されたこと
を特徴とするハーネス用胴ベルト取付具。
【請求項４】
第１の掛止体は、肩ベルトを挿通可能な略矩形状の第１ベルト挿通孔を有し、
前記第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺とし、
２つの前記第１ベルト長さ方向辺のほぼ中央に、前記第１ベルト挿通孔の中心に向けて対向して突出した第１突起片を具備し、
前記一方の第１ベルト幅方向辺から第１ベルト挿通孔と逆方向に延在する第１連結部材取付片を具備し、前記第１連結部材取付片は第１軸孔を有し、
第２の掛止体は、胴ベルトを挿通可能な略矩形状の第２ベルト挿通孔を有し、
前記第２ベルト挿通孔を形成する４辺の内、胴ベルトの長尺方向に直交する２つの辺を第２ベルト幅方向辺とし、胴ベルトの長尺方向に平行な２つの辺を第２ベルト長さ方向辺とし、
２つの前記第２ベルト長さ方向辺のほぼ中央に、前記第２ベルト挿通孔の中心に向けて対向して突出した第２突起片を具備し、
前記一方の第２ベルト長さ方向辺から第２ベルト挿通孔と逆方向に延在する第２連結部材取付片を具備し、前記第２連結部材取付片は第２軸孔を有し、
両端に第３軸孔を設けた前記連結部材の一方の第３軸孔と第１の掛止体の第１軸孔、連結部材の他方の第３軸孔と第２の掛止体の第２軸孔の位置を合わせ、それぞれ回動自在に軸着された、
請求項３に記載のハーネス用胴ベルト取付具。
【請求項５】
第１の掛止体は、肩ベルトを挿通可能な略矩形状の第１ベルト挿通孔を有し、
前記第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺とし、
２つの前記第１ベルト長さ方向辺のほぼ中央に、前記第１ベルト挿通孔の中心に向けて対向して突出した第１突起片を具備し、
前記一方の第１ベルト幅方向辺から第１ベルト挿通孔と逆方向に延在する第１連結部材取付片を具備し、前記第１連結部材取付片は第１軸孔を有し、
第２の掛止体は、胴ベルトを挿通可作業員能で長孔形状の２本の第２ベルト挿通孔が胴ベルトに直交して形成され、前記２本の第２ベルト挿通孔は互いに外側へ向け所定長開口し、
前記２本の第２ベルト挿通孔の間に第２ベルト幅方向辺を具備し、
前記第２ベルト幅方向辺の両端に前記第２ベルト幅方向辺と直角で両方向に延伸した２つの第２ベルト長さ方向辺を具備し、
前記一方の第２ベルト長さ方向辺から第２ベルト挿通孔と逆方向に延在する第２連結部材取付片を具備し、前記第２連結部材取付片は第２軸孔を有し、
第１の掛止体の第１軸孔と第２の掛止体の第２軸孔の位置を合わせ、回動自在に軸着された、
請求項１に記載のハーネス用胴ベルト取付具。
【請求項６】
第１の掛止体は、ベルトを挿通可能な略矩形状の第１ベルト挿通孔を有し、
前記第１ベルト挿通孔を形成する４辺の内、ベルトの長尺方向に直交する２つの辺を第１ベルト幅方向辺とし、ベルトの長尺方向に平行な２つの辺を第１ベルト長さ方向辺とし、
２つの前記第１ベルト長さ方向辺のほぼ中央に、前記第１ベルト挿通孔の中心に向けて突出した２つの第１突起片を具備し、
前記一方の第１ベルト幅方向辺からベルト挿通孔と逆方向に延在する第１連結部材取付片を具備し、前記第１連結部材取付片は第１軸孔を有し、
第２の掛止体は、胴ベルトを挿通可能で長孔形状の２本の第２ベルト挿通孔が胴ベルトに直交して形成され、前記２本の第２ベルト挿通孔は互いに外側へ向け所定長開口し、
前記２本の第２ベルト挿通孔の間に第２ベルト幅方向辺を具備し、
前記第２ベルト幅方向辺の両端に前記第２ベルト幅方向辺と直角で両方向に延伸した２つの第２ベルト長さ方向辺を具備し、
前記一方の第２ベルト長さ方向辺から第２ベルト挿通孔と逆方向に延在する第２連結部材取付片を具備し、前記第２連結部材取付片は第２軸孔を有し、
両端に第３軸孔を設けた前記連結部材の一方の第３軸孔と第１の掛止体の第１軸孔、連結部材の他方の第３軸孔と第２の掛止体の第２軸孔の位置を合わせ、それぞれ回動自在に軸着された、
請求項３に記載のハーネス用胴ベルト取付具。
【発明の詳細な説明】
【技術分野】
【０００１】
本発明は、高所作業時に作業員が身体に装着し、墜落の防止を図るハーネス型安全帯に関するものであり、特にはハーネス型安全帯に胴ベルトを結合する結合部に関する。
【背景技術】
【０００２】
墜落防止用の安全帯としてはハーネス型安全帯と胴ベルト型安全帯があるが、墜落を阻止するときに、肩、腿などの装着者の身体の主要部分を複数個所保持するハーネス型安全帯は、胴部の一ヵ所で身体の墜落を阻止する胴ベルト型安全帯に比べて墜落阻止時及び墜落阻止後において人体への負担が少ないため、近年では胴ベルト型安全帯に代わりハーネス型安全帯が急速に普及してきた。
このハーネス型安全帯は、肩から背中にかけてのベルト形状の違いにより、Ｘ型とＹ型の２種類のハーネス型安全帯に分類される。
【０００３】
Ｘ型のハーネス型安全帯は、図５に示されるように肩ベルトと腿ベルトから構成され、一方の肩ベルトは装着者の右腰部近傍から胸を通って右肩に掛けまわされて背中の中央部を通り左腰部近傍で左腿に巻き回される腿ベルトに連結され、もう一方の肩ベルトは装着者の左腰部近傍から胸を通って左肩に掛けまわされて背中の中央部を通り右腰部近傍で右腿に巻き回される腿ベルトに連結され、装着状態を装着者の後ろから見ると肩ベルトが背中で交差し、ちょうどＸ字形状となっているハーネス型安全帯である。
Ｙ型のハーネス型安全帯は、Ｘ型のハーネス型安全帯と同様、肩ベルトと腿ベルトから構成されるが、装着者の右腿の上部から胸を通って右肩に掛け回される右肩ベルトと、左腿の上部から胸を通って左肩に掛け回される左肩ベルトが背中の中央部で合体して重ねあわされて臀部まで延長し、そこで分離してそれぞれのベルトは左腿の上部で左腿に掛け回される腿ベルトと右腿の上部で右腿に掛け回される腿ベルトと連結され、装着状態を装着者の後ろから見ると右肩ベルトと左肩ベルトは背中で合体して臀部まで延長しているので、背中部分がちょうどＹ字形状となっているハーネス型安全帯である。
【０００４】
作業員は作業に必要な工具や部品がある場合、胴ベルト型安全帯にそれらを装着したり収納することができる工具入れや部品収納袋を取り付けていた。この作業員が高所で作業する場合、装着している胴ベルト型安全帯にランラードを連結するより、安全性能が優れているハーネス型安全帯を装着する方が望まれている。その場合、胴ベルト型安全帯とハーネス型安全帯の二つを同時に装着していた。
【０００５】
しかしながら、ハーネス型安全帯の上に胴ベルト、若しくは胴ベルトの上にハーネス型安全帯を装着すると、一体化していないので、胴ベルトに工具をぶら下げてもその荷重を肩ベルトで支えることができず、使い勝手が悪かった。
また、肩ベルトと腿ベルトと胴ベルトが一体化したハーネス型安全帯もあるが、地上での作業においてハーネス型安全帯を装着する必要がない場合や、工具類が不要な高所作業で胴ベルトを装着する必要がない場合など、ハーネス型安全帯と胴ベルトを容易に着脱できない一体型の安全帯は使い勝手が悪かった。
この為、胴ベルトを容易に着脱できるハーネス型安全帯が発明された。
【０００６】
胴ベルトをハーネス型安全帯に簡単に着脱できるものとして、特許文献１（実用新案登録第３１９０１３３号）のＸ型のハーネス型安全帯が発明された。この安全帯は、肩ベルトの下端部と腿ベルトの上端部を所定位置すなわち両腰部で重合し、当該重合部に、一端にソケット本体、他端にタングプレートを固定した結束ベルトの中央部を上下方向に重合して縫着する。このハーネス型安全帯に胴ベルトを取り付ける場合、両側重合部に胴ベルトを配置し、結束ベルトのソケット本体にタングプレートを挿入することで結合できる。
このように、この特許文献１に示すハーネス型安全帯を使用すると、工具などを装着している胴ベルトの工具類を胴ベルトから取り外すことなくハーネス型安全帯に取り付けることができる。
【０００７】
また、特許文献２（特開２０１７−４２３５８号）では、ハーネス型安全帯に胴ベルトを結合するための結合具が発明された。
この結合具は、主にＹ型のハーネス型安全帯に取り付けて使用するもので、ハーネス型安全帯の肩ベルトの腰部近傍に掛止する２ヶの掛止体を連結具で連結した構造であり、掛止体は、外形が略長方形で、連結具に直交し互いに平行な２本の挿通孔を設け、２本の挿通孔間に位置する中央辺に所定長さ開口した開口部を設け、連結具は所定長さの重設する２本の帯体で構成され、２本の帯体の間に胴ベルトを配置する間隙を設けた、ハーネス型安全帯に胴ベルトを結合する結合具である。
２ケの係止体を両方の肩ベルトの腰部近傍にそれぞれ係止し、連結具とハーネス型安全帯の間に形成される間隙または、重設する２本の帯体の間隙に胴ベルトを挟持することによって、ハーネス型安全帯と胴ベルトを結合状態にできる。
このように、この結合具を使用すると、胴ベルトに装着している工具袋や工具類を取り外すことなくハーネス型安全帯に取り付けることができる。
【先行技術文献】
【特許文献】
【０００８】
【特許文献１】実用新案登録第３１９０１３３号
【特許文献２】特開２０１７−４２３５８号
【発明の概要】
【発明が解決しようとする課題】
【０００９】
特許文献１のハーネス型安全帯は、ハーネス型安全帯に装備された結束ベルトで胴ベルトを巻き回し、結束ベルト一端のソケット本体に結束ベルト他端のタングプレートを挿入することで胴ベルトにとりつけられた工具類を取り外すことなく胴ベルトの両腰部を結束ベルトで連結することができる。
【００１０】
しかし、この胴ベルト取付用の結束ベルトはすべてのハーネス型安全帯に装備されていないので、胴ベルト若しくは胴ベルト型安全帯を保有している作業員は、新たに胴ベルト取付用の結束ベルトが装備されたハーネス型安全帯を購入しなければならない。
【００１１】
また、特許文献２に示すハーネス型安全帯に胴ベルトを結合するための結合具は、装着時においてハーネス型安全帯の肩ベルトと胴ベルトが交差する個所に取り付け、結合具の連結部で胴ベルトを挟持することでハーネス型安全帯と胴ベルトを結合状態にすることができる。
【００１２】
このハーネス型安全帯は、Ｙ型とＸ型の２種類があり、Ｙ型のハーネス型安全帯の場合は、ハーネス型安全帯と胴ベルトを装着した状態において、ハーネス型安全帯の肩ベルトと胴ベルトは略直交しているので、結合具の連結部（胴ベルトの挟持個所）と胴ベルトの角度はほぼ直角となり、胴ベルトは肩ベルトと直交した状態で取り付けることができる。
【００１３】
しかし、Ｘ型のハーネス型安全帯の場合、図７に示すように、装着状態においては肩ベルトと胴ベルトはおよそ６０度の角度がついている。
従って、この結束具によって胴ベルトをハーネス型安全帯に装着すると、結束具はハーネス型安全帯の肩ベルトに平行に配置されるので、結束具に垂直に配置される胴ベルトはハーネス型安全帯のベルトと角度がおよそ３０度ずれることになる。
このことにより、この結束具によって胴ベルトをハーネス型安全帯に装着すると、肩ベルトか胴ベルトが捩れた状態となり、使用感が悪くなる。
【００１４】
また、ハーネス型安全帯は、装着者の肩から腿にかけてベルトが配置されているため、装着者が作業時や移動時に、前屈した姿勢やしゃがんだ姿勢や上体をねじった姿勢になったとき、肩ベルトと腿ベルトは、通常装着者の腰部で屈曲する。このとき、特許文献１および特許文献２の結束具を用いてハーネス型安全帯と胴ベルトが連結された状態で使用していれば、肩ベルトか胴ベルトが捩れた状態となり、使用感が悪くなる。
【００１５】
本発明は、上記の事情に鑑みたものであり、Ｘ型やＹ型を問わず、どのようなタイプのハーネス型安全帯と胴ベルトであっても、ベルトが捩れることなく結合できるハーネス用胴ベルト取付具である。
【課題を解決するための手段】
【００１６】
請求項１と請求項２の発明は、装着者の両肩に掛け回される一対の肩ベルトと、装着者の両腿に巻き回される一対の腿ベルトとを備えるハーネス型安全帯に、装着者の胴部に巻き回される胴ベルトを取り付けられるハーネス用胴ベルト取付具である。
このハーネス用胴ベルト取付具は、肩ベルトに掛止する第１の掛止体と、胴ベルトに掛止する第２の掛止体と、から構成されている。この第１の掛止体と第２の掛止体が回動自在に軸着されている。
【００１７】
好ましくは、第１の掛止体は、肩ベルトを挿通可能な略矩形状の第１ベルト挿通孔を有している。第１ベルト挿通孔を形成する４辺の内、肩ベルトの長尺方向に直交する２つの辺を第１ベルト幅方向辺とし、ベルトの長尺方向に平行な２つの辺を第１ベルト長さ方向辺として、２つの第１ベルト長さ方向辺のほぼ中央に、第１ベルト挿通孔の中心に向けて対向して突出した第１突起片を具備している。
第１の掛止体は、一方の第１ベルト幅方向辺から第１ベルト挿通孔と逆方向に延在する第１連結部材取付片を具備し、第１連結部材取付片は第１軸孔を有している。
【００１８】
また、好ましくは、第２の掛止体は、胴ベルトを挿通可能な略矩形状の第２ベルト挿通孔を有している。第２ベルト挿通孔を形成する４辺の内、胴ベルトの長尺方向に直交する２つの辺を第２ベルト幅方向辺とし、ベルトの長尺方向に平行な２つの辺を第２ベルト長さ方向辺として、２つの第２ベルト長さ方向辺のほぼ中央に、第２ベルト挿通孔の中心に向けて対向して突出した第２突起片を具備している。
第２の掛止体は、一方の第２ベルト長さ方向辺からベルト挿通孔と逆方向に延在する第２連結部材取付片を具備し、第２連結部材取付片は第２軸孔を有している。
第１の掛止体の第１軸孔と第２の掛止体の第２軸孔の位置を合わせ、それぞれ回動自在に軸着されている。
【００１９】
請求項３と請求項４の発明は、装着者の両肩に掛け回される一対の肩ベルトと、装着者の両腿に巻き回される一対の腿ベルトとを備えるハーネス型安全帯に、装着者の胴部に巻き回される胴ベルトを取り付けられるハーネス用胴ベルト取付具である。
このハーネス用胴ベルト取付具は、肩ベルトに掛止する第１の掛止体と、胴ベルトに掛止する第２の掛止体と、第１の掛止体と第２の掛止体を連結する連結部材と、から構成されている。この連結部材と、第１の掛止体及び第２の掛止体がそれぞれ回動自在に軸着されている。
【００２０】
好ましくは、第１の掛止体は、肩ベルトを挿通可能な略矩形状の第１ベルト挿通孔を有している。第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺として、２つの第１ベルト長さ方向辺のほぼ中央に、第１ベルト挿通孔の中心に向けて対向して突出した第１突起片を具備している。
第１の掛止体は、一方の第１ベルト幅方向辺からベルト挿通孔と逆方向に延在する第１連結部材取付片を具備し、第１連結部材取付片は第１軸孔を有している。
【００２１】
また、好ましくは、第２の掛止体は、胴ベルトを挿通可能な略矩形状の第２ベルト挿通孔を有している。第２ベルト挿通孔を形成する４辺の内、胴ベルトの長尺方向に直交する２つの辺を第２ベルト幅方向辺とし、胴ベルトの長尺方向に平行な２つの辺を第２ベルト長さ方向辺として、２つの第２ベルト長さ方向辺のほぼ中央に、第２ベルト挿通孔の中心に向けて対向して突出した第２突起片を具備している。
第２の掛止体は、一方の第２ベルト長さ方向辺からベルト挿通孔と逆方向に延在する第２連結部材取付片を具備し、第２連結部材取付片は第２軸孔を有している。
また、両端に第３軸孔を設けた連結部材の一方の第３軸孔と第１の掛止体の第１軸孔、連結部材の他方の第３軸孔と第２の掛止体の第２軸孔の位置を合わせ、それぞれ回動自在に軸着されている。
【００２２】
請求項５の発明は、装着者の両肩に掛け回される一対の肩ベルトと、装着者の両腿に巻き回される一対の腿ベルトとを備えるハーネス型安全帯に、装着者の胴部に巻き回される胴ベルトを取り付けられるハーネス用胴ベルト取付具である。
このハーネス用胴ベルト取付具は、肩ベルトに掛止する第１の掛止体と、胴ベルトに掛止する第２の掛止体と、から構成されている。第１の掛止体及び第２の掛止体が回動自在に軸着されている。
【００２３】
好ましくは、第１の掛止体は、肩ベルトを挿通可能な略矩形状の第１ベルト挿通孔を有している。第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺として、２つの第１ベルト長さ方向辺のほぼ中央に、第１ベルト挿通孔の中心に向けて対向して突出した第１突起片を具備している。
第１の掛止体は、一方の第１ベルト幅方向辺からベルト挿通孔と逆方向に延在する第１連結部材取付片を具備し、第１連結部材取付片は第１軸孔を有している。
【００２４】
また、好ましくは、第２の掛止体は、胴ベルトを挿通可能で長孔形状の２本の第２ベルト挿通孔を胴ベルトに直交して形成され、この２本の第２ベルト挿通孔は互いに外側に向け所定長開口している。２本の第２ベルト挿通孔の間に第２ベルト幅方向辺を具備し、第２ベルト幅方向辺の両端に第２ベルト幅方向辺と直角で両方向に延伸した２つの第２ベルト長さ方向辺を具備している。
第２の掛止体は、一方の第２ベルト長さ方向辺から第２ベルト挿通孔と逆方向に延在する第２連結部材取付片を具備し、前記第２連結部材取付片は第２軸孔を有している。
第１の掛止体の第１軸孔と、第２の掛止体の第２軸孔の位置を合わせ、それぞれ回動自在に軸着されている。
【００２５】
請求項６の発明は、装着者の両肩に掛け回される一対の肩ベルトと、装着者の両腿に巻き回される一対の腿ベルトとを備えるハーネス型安全帯に、装着者の胴部に巻き回される胴ベルトを取り付けられるハーネス用胴ベルト取付具である。
このハーネス用胴ベルト取付具は、肩ベルトに掛止する第１の掛止体と、胴ベルトに掛止する第２の掛止体と、第１の掛止体と第２の掛止体を連結する連結部材と、から構成されている。この連結部材と、第１の掛止体及び第２の掛止体がそれぞれ回動自在に軸着されている。
【００２６】
好ましくは、第１の掛止体は、肩ベルトを挿通可能な略矩形状の第１ベルト挿通孔を有している。第１ベルト挿通孔を形成する４辺の内、肩ベルトの長尺方向に直交する２つの辺を第１ベルト幅方向辺とし、肩ベルトの長尺方向に平行な２つの辺を第１ベルト長さ方向辺として、２つの第１ベルト長さ方向辺のほぼ中央に、第１ベルト挿通孔の中心に向けて対向して突出した第１突起片を具備している。
第１の掛止体は、一方の第１ベルト幅方向辺からベルト挿通孔と逆方向に延在する第１連結部材取付片を具備し、第１連結部材取付片は第１軸孔を有している。
【００２７】
また、好ましくは、第２の掛止体は、胴ベルトを挿通可能で長孔形状の２本の第２ベルト挿通孔を胴ベルトに直交して形成され、この２本の第２ベルト挿通孔は互いに外側に向け所定長開口している。２本の第２ベルト挿通孔の間に第２ベルト幅方向辺を具備し、第２ベルト幅方向辺の両端に第２ベルト幅方向辺と直角で両方向に延伸した２つの第２ベルト長さ方向辺を具備している。
第２の掛止体は、一方の第２ベルト長さ方向辺から第２ベルト挿通孔と逆方向に延在する第２連結部材取付片を具備し、前記第２連結部材取付片は第２軸孔を有している。
両端に第３軸孔を設けた前記連結部材の一方の第３軸孔と第１の掛止体の第１軸孔、連結部材の他方の第３軸孔と第２の掛止体の第２軸孔の位置を合わせ、それぞれ回動自在に軸着されている。
【発明の効果】
【００２８】
本発明を使用すると、胴ベルトは、Ｘ型、Ｙ型を含めたすべてのハーネス型安全帯にベルトが捩れることなく連結できる。
【図面の簡単な説明】
【００２９】
【図１】本発明であるハーネス用胴ベルト取付具の正面図（ａ）と右側面図（ｂ）
【図２】本発明であるハーネス用胴ベルト取付具をハーネス型安全帯の肩ベルトに装着し、胴ベルトを取り付けた状態の詳細図
【図３】図２のＡ矢視における断面図
【図４】図２のＢ矢視における断面図
【図５】本発明であるハーネス用胴ベルト取付具をＸ型のハーネス型安全帯の肩ベルトに装着した状態の説明図
【図６】本発明であるハーネス用胴ベルト取付具をＸ型のハーネス型安全帯の肩ベルトに装着し、胴ベルトを取り付けた状態の説明図
【図７】Ｘ型のハーネス型安全帯を装着した装着者が本発明であるハーネス用胴ベルト取付具を用いて胴ベルトを取り付けた状態の説明図
【図８】他の実施形態のハーネス用胴ベルト取付具の正面図（ａ）と右側面図（ｂ）
【図９】他の実施形態のハーネス用胴ベルト取付具をハーネス型安全帯の肩ベルトに装着し、胴ベルトを取り付けた状態の詳細図
【図１０】他の実施形態のハーネス用胴ベルト取付具の正面図（ａ）と右側面図（ｂ）
【図１１】他の実施形態のハーネス用胴ベルト取付具の正面図（ａ）と右側面図（ｂ）
【図１２】他の実施形態のハーネス用胴ベルト取付具の正面図（ａ）と右側面図（ｂ）
【発明を実施するための形態】
【００３０】
（第１実施例）
以下、本発明の実施形態を図面に基づき詳細に説明する。
図１は本発明であるハーネス用胴ベルト取付具１の図面であり、（ａ）は正面図、（ｂ）は右側面図である。尚、この図中において、水平方向をＸ軸、垂直方向をＹ軸、表裏方向をＺ軸とする。
【００３１】
第１の掛止体１０は平板状で、肩ベルト５１のベルト幅より広く、かつ肩ベルト５１を挿通可能な矩形状の第１ベルト挿通孔１１と、この第１ベルト挿通孔１１のベルト幅方向（Ｘ軸方向）に延伸している第１ベルト幅方向辺１２ａ，１２ｂと、ベルト幅方向辺と直交し、ベルト長さ方向（Ｙ軸方向）に延伸している第１ベルト長さ方向辺１３ａ，１３ｂで形成されている。更に、上記の第１ベルト長さ方向辺１３ａ，１３ｂのほぼ中央には、第１突起片１７，１７が互いに対向する位置で前記第１ベルト挿通孔１１の中心に向けて突出している。すなわち、第１ベルト幅方向辺１２ａ，１２ｂと第１ベルト長さ方向辺１３ａ，１３ｂと第１突起片１７，１７で囲まれた第１ベルト挿通孔１１は、略エの字形状となっている。
図１（ａ）に示すように、第１突起片１７，１７の間隙は、肩ベルト５１を折り曲げて挿入できて、肩ベルト５１を折り曲げた状態から元の状態に戻した時、肩ベルト５１は第１突起片１７，１７に掛かる隙間とする。すなわち、肩ベルト５１の右端を右側に具備した第１ベルト長さ方向辺１３ｂに接触するまで移動させた時でも肩ベルト５１の左端は左側の第１突起片１７に掛かる隙間とする。
【００３２】
図１（ｂ）に示すように、第１ベルト幅方向辺１２ｂの下端部をＹ軸下方方向に延伸して第１連結部材取付片１５，１５を設ける。この第１連結部材取付片１５，１５は、Ｘ軸方向に後述する平板形状の第２の掛止体２０の第２連結部材取付片２５が挿入できる幅の挿入孔１９を挟んで平行に対峙している。この第１連結部材取付片１５，１５にＺ軸方向に貫通している第１軸孔１６，１６を設ける。
【００３３】
第２の掛止体２０は平板状で、胴ベルト５５のベルト幅より広く、かつ胴ベルト５５を挿通可能な略矩形形状の第２ベルト挿通孔２１と、この第２ベルト挿通孔２１のベルト幅方向（Ｙ軸方向）に延伸している第２ベルト幅方向辺２２ａ，２２ｂと、ベルト幅方向辺と直交し、ベルト長さ方向（Ｘ軸方向）に延伸している第２ベルト長さ方向辺２３ａ，２３ｂで形成されている。更に、上記の第２ベルト長さ方向辺２３ａ，２３ｂのほぼ中央には、第２突起片２７，２７が互いに対向する位置で前記第２ベルト挿通孔２１の中心に向けて突出している。すなわち、第２ベルト幅方向辺２２ａ，２２ｂと第２ベルト長さ方向辺２３ａ，２３ｂと第２突起片２７，２７で囲まれた第２ベルト挿通孔２１は、略エの字形状となっている。
図１（ａ）に示すように、第２突起片２７，２７の間隙は、胴ベルト５５を折り曲げて挿入できて、胴ベルト５５を折り曲げた状態から元の状態に戻した時、胴ベルト５５は第２突起片２７，２７に掛かる隙間とする。すなわち、胴ベルト５５の上端を第２ベルト長さ方向辺２３ａに接触するまで移動させた時でも胴ベルト５５の下端は、下側の第２突起片２７に掛かる隙間とする。
第２ベルト長さ方向辺２３ａの上端部をＹ軸上方方向に延伸して第２連結部材取付片２５を設ける。この第２連結部材取付片２５は、前に記載した第１の掛止体１０の挿入孔１９に挿入できる幅とし、平板形状である。この第２連結部材取付片２５には、Ｚ軸方向に貫通した第２軸孔２６を設ける。
【００３４】
第１の掛止体１０の挿入孔１９に第２の掛止体２０の第２連結部材取付片２５を挿入し、第１の掛止体１０の第１連結部材取付片１５の第１軸孔１６，１６と第２連結部材取付片２５の第２軸孔２６とを合致させて軸４１を挿入して軸着することで、第１の掛止体１０と第２の掛止体２０は回動自在に連結できる。
【００３５】
図２は、本発明であるハーネス用胴ベルト取付具１を用いてハーネス型安全帯（肩ベルト５１）と胴ベルト５５を連結した状態を示す説明図、図３は、図２の肩ベルト５１に第１の掛止体１０を取り付けた状態におけるＡ矢視図、図４は、図２の胴ベルト５５に第２の掛止体２０を取り付けた状態におけるＢ矢視図である。
図５は本発明であるハーネス用胴ベルト取付具１をＸ型のハーネス型安全帯の肩ベルト５１に装着した状態の説明図、図６は本発明のハーネス用胴ベルト取付具１をＸ型のハーネス型安全帯に装着し、胴ベルト５５を取り付けた状態の説明図である。
【００３６】
図５、図６に示すように、ハーネス用胴ベルト取付具１は、第１の掛止体１０をハーネス型安全帯５０の肩ベルト５１に装着し（図５参照）、次に第２の掛止体２０に胴ベルト５５を装着する（図６参照）。
第１の掛止体１０を肩ベルト５１に取り付ける方法は、図２に示すように、肩ベルト５１をＹ軸方向（ベルトの長さ方向）に小さな輪を作るようにして折り曲げ、第１の掛止体１０の第１突起片１７，１７の下方からその隙間を通過させて上方へ通し、肩ベルト５１の左側部分を左側の第１突起片１７に掛け、右側部分を右側の第１突起片１７に掛ける。
この結果、肩ベルト５１は図３に示すように、第１の掛止体１０の第１ベルト幅方向辺１２ａの裏面、第１突起片１７，１７の表面、第１ベルト幅方向辺１２ｂの裏面で挟持されるので、図５に示すように、ハーネス用胴ベルト取付具１は、肩ベルト５１に取り付けられる。
【００３７】
次に胴ベルト５５を第２の掛止体２０に取り付けるのであるが、第１の掛止体１０を肩ベルト５１に取り付けるのと同様、図２に示すように、胴ベルト５５をＸ軸方向に小さな輪を作るように折り曲げ、第２の掛止体２０の第２突起片２７，２７の下方からその隙間を通過させて上方へ通し、胴ベルト５５の上側部分を上側の第２突起片２７に掛け、下側部分を下側の第２突起片２７に掛ける。この結果、胴ベルト２０は図４に示すように、第２の掛止体２０の第２ベルト幅方向辺２２ａの裏面、第２突起片２７，２７の表面、第２ベルト幅方向辺２２ｂの裏面で挟持される。従って、第２の掛止体２０は胴ベルト５５に装着することができる。（図６参照）
【００３８】
このようにして、本発明のハーネス用胴ベルト取付具１を用いてハーネス型安全帯と胴ベルトを結合することができる。そして、装着者は、胴ベルト５５が腰部の取付位置になるように、第１の掛止体１０を肩ベルト５１上を摺動させて位置決めを行う。
Ｘ型のハーネス型安全帯にハーネス用胴ベルト取付具１を取り付け、更に胴ベルト５５を取り付けた状態は、図６に示す。
【００３９】
このハーネス用胴ベルト取付具１は、肩ベルトを取り付ける第１の掛止体１０と胴ベルトを取り付ける第２の掛止体２０とを軸４１，４１を介して連結部材３０に回動自在に取り付けていることから、図２に示すように、肩ベルト５１はＹ軸と平行ではないが、軸４１を中心に第１の掛止体１０と第２の掛止体２０が回動することにより、胴ベルト５５は、Ｘ軸方向に取り付けられる。従って、図７に示す装着状態において、肩ベルト５１は胸前から腰へと延伸していて、胴ベルト５５と直交していないが、肩ベルト５１に取り付けた第１の掛止体１０と胴ベルト５５に取り付けた第２の掛止体２０を軸４１を介して回動自在に軸着しているので、胴ベルト５５は装着者の胴部分になじんだ角度で装着できる。
【００４０】
ハーネス型安全帯は、装着者の肩から腿にかけてベルトが配置されている。
装着者が胴ベルトの無いハーネス型安全帯を装着している場合、作業時や移動時に、前屈した姿勢やしゃがんだ姿勢になったとき、肩ベルトと腿ベルトは、装着者の腰部より上側から徐々に屈曲するため、装着感は大きく損なわれない。
しかしハーネス型安全帯と胴ベルトを合わせて装着した場合には、胴ベルトは装着者の腰骨の高さに略水平にしっかりと装着されており、装着者の作業中の姿勢が変わっても、胴ベルトの装着位置は動かないため、ハーネス型安全帯の腿ベルトは、胴ベルトの下側から大きな角度で屈曲することになり、装着感が悪い。
【００４１】
例えば、通常のハーネス型安全帯の場合、腿ベルトは幅約４５ｍｍの平ベルトであるため、厚みの方向には自由に屈曲するが、幅方向には屈曲しない。従って装着者が胴ベルトとハーネス型安全帯を装着し、前屈した姿勢となった場合には、腿ベルトは、全面が腿に密着した状態とはならず、幅方向の片側の縁が前側に引っ張られて腿に押し付けられた状態となり、もう一方の腿ベルトの縁は腿から離れて折れ曲がった状態となる。この状態は装着者にとっては装着感が悪い。また、腿を曲げるときに腿が腿ベルトに引っ張られることになり、抵抗感がある。
【００４２】
特許文献１および特許文献２の結束具を用いた場合においても、ハーネス型安全帯と胴ベルトが腰部で直交して固定的に連結されるため、作業者が作業時や移動時に前屈した姿勢やしゃがんだ姿勢になったとき、上記のように腿ベルトが装着者の腰部の下側から大きな角度で屈曲することになり、装着感が悪く、腿が腿ベルトに引っ張られて抵抗感がある。
【００４３】
このハーネス用胴ベルト取付具１は、肩ベルト５１に取り付けた第１の掛止体１０と胴ベルト５５に取り付けた第２の掛止体２０を、軸４１を介して回動自在に軸着し、第１の掛止体１０が胴ベルトの装着位置より上方の肩ベルト５１に取り付けているので、装着者の作業時や移動時に前屈した姿勢やしゃがんだ姿勢になったときでも、胴ベルトが第１の掛止体１０の取付位置から、作業員の姿勢に合わせて動くことができるため、装着感が損なわれず、腿が腿ベルトに引っ張られるという抵抗感もない。
【００４４】
図示していないが、Ｙ型のハーネス型安全帯は、装着状態において肩ベルトはＹ軸とほぼ平行になっているので、胴ベルトは、Ｘ軸方向に取り付けることができる。
このように、ハーネス型安全帯の形状が変更となっても、本発明のハーネス用胴ベルト取付具１を使用すると、胴ベルトは装着者の胴回りを確実に巻き回して取り付けられる。
【００４５】
このハーネス用胴ベルト取付具１の材料は、樹脂を用いても、鉄鋼、アルミ合金等の金属材料を用いてもよい。
【００４６】
（第２実施例）
第１実施例のハーネス用胴ベルト取付具１において、第２の掛止体２０は平板形状であり、それを軸着するための第１の掛止体１０の第１連結部材取付片１５，１５は、その中央部分に第２の掛止体の第２連結部材が挿入できる挿入孔１９を設けた構造である。
第２実施例は、図１２に示すように、第１の掛止体１０を平板形状とし、第１の掛止体１０の第１連結部材取付片１５を軸着するための第２の掛止体２０の第２連結部材取付片２５は、その中央部分に第１の掛止体１０の第１連結部材取付片１５が挿入できる挿入孔２９を設けた構造である。
第１連結部材取付片１５を第２連結部材取付片２５の中央部分の挿入孔２９に挿入し、第１連結部材取付片１５に設けた第１軸孔１６と第２連結部材取付片２５，２５に設けた第２軸孔２６，２６を合致させ、軸４１を挿入し、回動自在に軸着することで、第１実施例と同様の効果が得られる。
【００４７】
（第３実施例）
図８に示すように、第３実施例のハーネス用胴ベルト取付具３は、ハーネス型安全帯５０の肩ベルト５１に取り付けられる第１の掛止体６０と、胴ベルト５５に取り付けられる第２の掛止体７０と、第１の掛止体６０と第２の掛止体７０を連結する連結部材３０から構成される。
【００４８】
第１の掛止体６０は平板状で、肩ベルト５１のベルト幅より広く、かつ肩ベルト５１を挿通可能な略矩形状の第１ベルト挿通孔６１１と、この第１ベルト挿通孔６１１のベルト幅方向（Ｘ軸方向）に延伸している第１ベルト幅方向辺６１２ａ，６１２ｂと、第１ベルト幅方向辺と直交し、ベルト長さ方向（Ｙ軸方向）に延伸している第１ベルト長さ方向辺６１３ａ，６１３ｂで形成されている。
上記の第１ベルト長さ方向辺６１３ａ，６１３ｂのほぼ中央には、第１突起片６１７，６１７が互いに対向する位置で前記第１ベルト挿通孔６１１の中心に向けて突出している。この第１ベルト幅方向辺６１２ａ，６１２ｂと第１ベルト長さ方向辺６１３ａ，６１３ｂと第１突起片６１７，６１７で囲まれた第１ベルト挿通孔６１１は、略エの字形状となっている。
【００４９】
図８（ａ）に示すように、第１突起片６１７，６１７の間隙は、肩ベルト５１を折り曲げて挿入できて、肩ベルト５１を折り曲げた状態から元の状態に戻した時、肩ベルト５１は第１突起片６１７，６１７に掛かる隙間とする。すなわち、肩ベルト５１の右端を右側の長さ方向部材６１３ａに接触するまで移動させた時でも肩ベルト５１の左端は左側の第１突起片６１７に掛かる隙間とする。
図８の（ｂ）に示すように、第１ベルト幅方向辺６１２ｂの下端部をＹ軸下方方向に延伸して第１連結部材取付片６１５，６１５を設ける。この第１連結部材取付片６１５，６１５は、Ｘ軸方向に後述する平板形状の連結部材３０が挿入できる幅の挿入孔６１９を挟んで平行に対峙している。この第１連結部材取付片６１５，６１５にＺ軸方向に貫通している第１軸孔６１６，６１６を設ける。
【００５０】
第２の掛止体７０は平板状で、胴ベルト５５のベルト幅より広く、かつ胴ベルト５５を挿通可能な略矩形形状の第２ベルト挿通孔７２１と、この第２ベルト挿通孔７２１のベルト幅方向（Ｙ軸方向）に延伸している第２ベルト幅方向辺７２２ａ，７２２ｂと、第２ベルト幅方向辺７２２ａ，７２２ｂと直交し、ベルト長さ方向（Ｘ軸方向）に延伸している第２ベルト長さ方向辺７２３ａ，７２３ｂで形成されている。更に、上記の第２ベルト長さ方向辺７２３ａ，７２３ｂのほぼ中央には、第２突起片７２７，７２７が互いに対向する位置で前記第２ベルト挿通孔７２１の中心に向けて突出している。すなわち、第２ベルト幅方向辺７２２ａ，７２２ｂと第２ベルト長さ方向辺７２３ａ，７２３ｂと第２突起片７２７，７２７で囲まれた第２ベルト挿通孔７２１は、略エの字形状となっている。
第２突起片７２７，７２７の間隙は、胴ベルト５５を折り曲げて挿入できて、胴ベルト５５を折り曲げた状態から元の状態に戻した時、胴ベルト５５は第２突起片７２７，７２７に掛かる隙間とする。すなわち、胴ベルト５５の上端を第２ベルト長さ方向辺２３ａに接触するまで移動させた時でも胴ベルト５５の下端は、下側の第２突起片７２７に掛かる隙間とする。
【００５１】
第２ベルト長さ方向辺７２３ａの上端部をＹ軸上方方向に延伸して第２連結部材取付片７２５，７２５を設ける。この第２連結部材取付片７２５，７２５は、後述する平板形状の連結部材３０が挿入できる幅の挿入孔７２９を挟んで平行に対峙している。この第２連結部材取付片７２５，７２５にＺ軸方向に貫通している第２軸孔７２６，７２６を設ける。
【００５２】
図８に示すように、連結部材３０は平板状で、両端に第１の掛止体１０と第２の掛止体２０とを連結する為の掛止体取付片３５，３５を設ける。この掛止体取付片３５，３５の厚みは、第１の掛止体６０の挿入孔６１９の幅よりも短い寸法とする。掛止体取付片３５，３５には、第１連結部材取付片１５，１５に設けた貫通した第１軸孔１６，１６に合致する第３軸孔３６と、第２連結部材取付片７２５，７２５に設けた貫通した第２軸孔７２６，７２６に合致する第３軸孔３６とを設ける。
【００５３】
図８（ｂ）に示すように、第１の掛止体６０の挿入孔６１９に連結部材３０の一端の掛止体取付片３５を挿入し、第１連結部材取付片６１５，６１５の第１軸孔６１６，６１６と掛止体取付片３５の第３軸孔３６とを合致させて軸４１を挿通させることで、第１の掛止体６０と連結部材３０を連結できる。
第２の掛止体７０の挿入孔７２９に連結部材３０に他端の掛止体取付片３５を挿入し、第２連結部材取付片７２５，７２５の第２軸孔７２６，７２６と掛止体取付片３５の第３軸孔３６とを合致されて軸４１を挿通させることで、第２の掛止体７０と連結部材３０を連結でき、ハーネス用胴ベルト取付具３が形成される。
【００５４】
（第４実施例）
第３実施例では第１の掛止体６０の第１連結部材取付片６１５および第２の掛止体７０の第２連結部材取付片７２５は、連結部材３０の掛止体取付片３５が挿入できる幅の挿入孔６１９および挿入孔７２９を挟んで平行に対峙した２片で構成されているが、第１連結部材取付片６１５および第２連結部材取付片７２５は、１片でもよい。
図示しないが、第４実施例は、第１の掛止体の第１連結部材取付片と連結部材の一方の掛止体取付片を重合配置し、第１連結部材取付片に具備した第１軸孔と掛止体取付片に具備した第３軸孔を合致させて回動自在に軸着し、第２の掛止体の第２連結部材取付片と連結部材の他方の掛止体取付片を重合配置し、第２連結部材取付片に具備した第２軸孔と掛止体取付片に具備した第３軸孔を合致させて回動自在に軸着する。この結果、第４実施例は、第１実施例から第３実施例に記載のハーネス用ベルト取付具と同様の効果が得られる。
【００５５】
また、図示しないが、第１の掛止体の第１連結部材取付片と第２の掛止体の第２連結部材取付片は１片の平板状で、連結部材の一端に設けた一方の掛止体取付片は第１連結部材取付片が挿入できる幅の挿入孔を挟んで平行に対峙した２片で構成され、他方の掛止体取付片は第２連結部材取付片が挿入できる幅の挿入孔を挟んで平行に対峙した２片で構成されてもよい。
この実施例も第１の掛止体の第１連結部材取付片と連結部材の一方の掛止体取付片、第２の掛止体の第２連結部材取付片と連結部材の他方の掛止体材取付片とを回動自在に軸着することで、段落［００５４］に記載のハーネス用ベルト取付具と同様の効果が得られる。
【００５６】
（第５実施例）
図１０に示すように、第５実施例のハーネス用胴ベルト取付具５は、第１の掛止体１０と第２の掛止体９０とから構成される。尚、説明に用いる部材番号は、従来と同じ部材に関しては同一の部材番号を使用し、違う部材は違う部材番号を使用する。
【００５７】
第１の掛止体１０は、第１実施例と同様の構造である。
第２の掛止体９０は、平板状で、両側部に平行に胴ベルト５５が挿入できる長さで、Y軸方向に互いに外側に向け所定長開口した２本の第２ベルト挿通孔９２１，９２１を設けた構造である。この第２ベルト挿通孔９２１，９２１の外側部の所定長開口した個所の上下部に、対向して第２突起片９２７，９２７が形成されている。この第２ベルト挿通孔９２１は、略Ｃの字形状となる。
又、２本の第２ベルト挿通孔９２１，９２１の間に第２ベルト幅方向辺９２２ｂが形成され、第２ベルト幅方向辺９２２の上下に第２ベルト幅方向辺９２２と直交しＸ軸方向に第２ベルト長さ方向辺９２３ａ，９２３ｂが形成される。
【００５８】
別の言い方をすれば、第２の掛止体９０は、外形が略日の字形の板状で、平行する２条の第２ベルト挿通孔９２１，９２１が形成され、第２ベルト挿通孔９２１，９２１はベルトの長尺方向に対して直交して配置されている。この第２ベルト挿通孔９２１，９２１を形成する３つの辺を第２ベルト幅方向辺９２２ａ，９２２ｂ，９２２ｃとし、ベルトと長尺方向に平行な２つの辺を第２ベルト長さ方向辺９２３ａ，９２３ｂとすると、第２ベルト幅方向辺９２２ｃはY軸方向に、第２ベルト長さ方向辺９２３ａ，９２３ｂはX軸方向に形成されている。
両側の第２ベルト幅方向辺９２２ａ，９２２ｃは、それぞれの中央部で所定長切断されて上下部に第２突起片９２７，９２７と略Ｃの字形状の第２ベルト挿通孔９２１，９２１が形成される。
第２突起片９２７、９２７の長さは、胴ベルト５５を幅方向に折り曲げて挿入し、挿入後は抜けないように挟持する必要があるので、胴ベルト５５の幅の１／２〜２／３程度の長さとなる。
【００５９】
一方の第２ベルト長さ方向辺９２３ａの上端部をＹ軸上方方向に延伸し、第２連結部材取付片９２５を設ける。この第２連結部材取付片９２５にＺ軸方向に貫通している第２軸孔９２６を設ける。
【００６０】
第５実施例は、第１実施例と同様、第１の掛止体１０の挿入孔１９に第２の掛止体９０の第２連結部材取付片９２５を挿入し、第１の掛止体１０の第１連結部材取付片１５の第１軸孔１６，１６と第２連結部材取付片９２５の第２軸孔９２６とを合致させて軸４１を挿入して軸着することで、第１の掛止体１０と第２の掛止体９０は回動自在に連結できる。
【００６１】
（第６実施例）
図１１に示すように、第６実施例のハーネス用胴ベルト取付具６は、第１の掛止体１０と第２の掛止体９０と連結部材３０とから構成される。尚、説明に用いる部材番号は、従来と同じ部材に関しては同一の部材番号を使用し、違う部材は違う部材番号を使用する。
【００６２】
第１の掛止体１０は、第１実施例、第３実施例、第５実施例と同様の構造である。
連結部材３０は、第３実施例と同様の構造である。
【００６３】
第２の掛止体９０は、平板状で、両側部に平行に胴ベルト５５が挿入できる長さで、Y軸方向に互いに外側に向け所定長開口した２本の第２ベルト挿通孔９２１，９２１を設けた構造である。この第２ベルト挿通孔９２１，９２１の外側部の所定長開口した個所の上下部に、対向して第２突起片９２７，９２７が形成されている。この第２ベルト挿通孔９２１は、略Ｃの字形状となる。
又、２本の第２ベルト挿通孔９２１，９２１の間に第２ベルト幅方向辺９２２ｂが形成され、第２ベルト幅方向辺９２２の上下に第２ベルト幅方向辺９２２と直交しＸ軸方向に第２ベルト長さ方向辺９２３ａ，９２３ｂが形成される。
【００６４】
別の言い方をすれば、第２の掛止体９０は、外形が略日の字形の板状で、平行する２条の第２ベルト挿通孔９２１，９２１が形成され、第２ベルト挿通孔９２１，９２１はベルトの長尺方向に対して直交して配置されている。この第２ベルト挿通孔９２１，９２１を形成する３つの辺を第２ベルト幅方向辺９２２ａ，９２２ｂ，９２２ｃとし、ベルトと長尺方向に平行な２つの辺を第２ベルト長さ方向辺９２３ａ，９２３ｂとすると、第２ベルト幅方向辺９２２ｃはY軸方向に、第２ベルト長さ方向辺９２３ａ，９２３ｂはX軸方向に形成されている。
両側の第２ベルト幅方向辺９２２ａ，９２２ｃは、それぞれの中央部で所定長切断されて上下部に第２突起片９２７，９２７と略Ｃの字形状の第２ベルト挿通孔９２１，９２１が形成される。
第２突起片９２７、９２７の長さは、胴ベルト５５を幅方向に折り曲げて挿入し、挿入後は抜けないように挟持する必要があるので、胴ベルト５５の幅の１／２〜２／３程度の長さとなる。
【００６５】
一方の第２ベルト長さ方向辺９２３ａの上端部をＹ軸上方方向に延伸し、第２連結部材取付片９２５，９２５を設ける。この第２連結部材取付片９２５，９２５は、平板形状の連結部材３０が挿入できる幅の挿入孔９２９を挟んで平行に対峙している。この第２連結部材取付片９２５，９２５にＺ軸方向に貫通している第２軸孔９２６，９２６を設ける。
【００６６】
第１の掛止体１０の挿入孔１９に連結部材３０の一端の掛止体取付片３５を挿入し、第１連結部材取付片１５，１５の第１軸孔１６，１６と掛止体取付片３５の第３軸孔３６とを合致させて軸４１を挿通して軸着することで、第１の掛止体１０と連結部材３０は回動自在に連結できる。
第２の掛止体９０の挿入孔９２９に連結部材３０に他端の掛止体取付片３５を挿入し、第２連結部材取付片９２５，９２５の第２軸孔９２６，９２６と掛止体取付片３５の第３軸孔３６とを合致させて軸４１を挿通して軸着することで、第２の掛止体９０と連結部材３０は回動自在に連結でき、ハーネス用胴ベルト取付具６が形成される。
【００６７】
このようにして、本発明のハーネス用胴ベルト取付具は、Ｘ型のハーネス型安全帯、Ｙ型のハーネス型安全帯を問わず、どのようなタイプのハーネス型安全帯にも胴ベルトに装着している工具袋や工具類を取り外すことなく、胴ベルトが捩れることなくハーネス型安全帯に取り付けることができる。
また、ハーネス型安全帯と胴ベルトが本発明のハーネス用胴ベルト取付具を介して、回動自在に連結されているため、装着者の姿勢の変化に追随してハーネス型安全帯と胴ベルトが独自に動くことができるため、装着感を損なわない。
【符号の説明】
【００６８】
１  ハーネス用胴ベルト取付具
１０  第１の掛止体
１１  第１ベルト挿通孔
１２ａ、１２ｂ  第１ベルト幅方向辺
１３ａ、１３ｂ  第１ベルト長さ方向辺
１５  第１連結部材取付片
１６  第１軸孔
１７  第１突起片
１９  挿入孔
２０  第２の掛止体
２１  第２ベルト挿通孔
２２ａ、２２ｂ  第２ベルト幅方向辺
２３ａ、２３ｂ  第２ベルト長さ方向辺
２５  第２連結部材取付片
２６  第２軸孔
２７  第２突起片
２９  挿入孔
３０  連結部材
３５  掛止体取付片
３６  第３軸孔
４１  軸
５０  ハーネス型安全帯
５１  肩ベルト
５２  腿ベルト
５５  胴ベルト
６０  第１の掛止体
６１１  第１ベルト挿通孔
６１２ａ、６１２ｂ  第１ベルト幅方向辺
６１３ａ、６１３ｂ  第１ベルト長さ方向辺
６１５  第１連結部材取付片
６１６  第１軸孔
６１７  第１突起片
６１９  挿入孔
７０  第２の掛止体
７２１  第２ベルト挿通孔
７２２ａ、７２２ｂ  第２ベルト幅方向辺
７２３ａ、７２３ｂ  第２ベルト長さ方向辺
７２５  第２連結部材取付片
７２６  第２軸孔
７２７  第２突起片
９０  第２の掛止体
９２１  第２ベルト挿通孔
９２２  第２ベルト幅方向辺
９２３ａ、９２３ｂ  第２ベルト長さ方向辺
９２５  第２連結部材取付片
９２６  第２軸孔
９２７  第２突起片
【図１】
2019198425.tif 000003
【図２】
2019198425.tif 000004
【図３】
2019198425.tif 000005
【図４】
2019198425.tif 000006
【図５】
2019198425.tif 000007
【図６】
2019198425.tif 000008
【図７】
2019198425.tif 000009
【図８】
2019198425.tif 000010
【図９】
2019198425.tif 000011
【図１０】
2019198425.tif 000012
【図１１】
2019198425.tif 000013
【図１２】
2019198425.tif 000014